(57)【要約】【課題】使用時の調整が便利であり、ノートブックコンピュータの設置角度を速やかに調整でき、かつ、迅速に放熱できる等の利点を備えた、ノートブックコンピュータ用放熱台の提供。【解決手段】主に設置台、脚座及び複数の放熱ファンから構成され、そのうち、前記設置台は折り曲げて段差を設けた階段状を呈し、その前方にアームレストを設け、前記設置台の前縁部に内側に折り曲げた底台を設置し、前記設置台の後部を湾曲して弧部を形成し、前記設置台の正面に複数の通風口を開設し、各通風口の底面に枠体を設け、前記枠体の両側に放熱ファンが設置される滑動孔を開設し、前記弧部両側に滑動溝の片側に等間隔で複数の固定溝を開設してなる調整溝を開設し、前記調整溝に前記脚座を結合させて使用され、前記脚座は側面からみると略L字形を呈し、その底面に滑り止めゴム片を貼り付け、他面の適当な位置に上述の調整溝に対応する２つの固定ボルトを設ける。【選択図】図２
0003122051.tif 000002
【実用新案登録請求の範囲】
【請求項１】
主に設置台、脚座及び複数の放熱ファンから構成され、そのうち、前記設置台は折り曲げて段差を設けた階段状を呈し、その前方にアームレストが設けられ、前記設置台の前縁部には内側に折り曲げた底台が設置され、前記設置台の後部を湾曲して弧部が設けられ、前記設置台の正面には複数の通風口が開設され、各通風口の底面には枠体が設置され、前記枠体の両側に放熱ファンが設置される滑動孔が開設され、前記弧部の両側にそれぞれ調整溝が開設され、前記調整溝は滑動溝の片側に等間隔で複数の固定溝を開設して成り、前記調整溝に前記脚座が結合され、且つ、前記脚座は側面からみると略L字形を呈し、その底面に滑り止めゴム片が貼り付けられ、他面の適当な位置に上述の調整溝に対応する２つの固定ボルトが設置される構成としたことを特徴とするノートブックコンピュータ用放熱台。
【請求項２】
前記アームレストが金属片上に滑り止め効果のある特殊な塗料層を有する構成としたことを特徴とする請求項１に記載のノートブックコンピュータ用放熱台。
【請求項３】
前記アームレストがシリコンソフトパッドを使用して成ることを特徴とする請求項１に記載のノートブックコンピュータ用放熱台。
【請求項４】
前記底台上方に滑り止めゴム片を設けた構成としたことを特徴とする請求項１に記載のノートブックコンピュータ用放熱台。
【請求項５】
前記弧部の左右いずれか一方の内側に外部に向かって延伸された文書クリップを設けた構成としたことを特徴とする請求項１に記載のノートブックコンピュータ用放熱台。  
【請求項６】
前記文書クリップが固定式であることを特徴とする請求項５に記載のノートブックコンピュータ用放熱台。
【請求項７】
前記文書クリップが伸縮及び方向変換等の特性を備えた関節式であることを特徴とする請求項５に記載のノートブックコンピュータ用放熱台。
【考案の詳細な説明】
【技術分野】
【０００１】
本考案はノートブックコンピュータ用放熱台に関し、詳細には、ノートブックコンピュータをその上に置いて使用する放熱台であって、そのデザイン、構造が簡潔で使用時の調整にも便利であり、迅速な設置角度の調整及び高い放熱効果等の利点を備えた、ノートブックコンピュータ用放熱台に関する。
【背景技術】
【０００２】
ワイヤレスネットワークの発達に伴い、ノートブックコンピュータの使用者も増加しており、現在ノートブックコンピュータの機能もデスクトップ型コンピュータに近づきつつあり、加えてその体積が軽薄で携帯に便利であるという特色を備えているため、一般の使用者を引き付けている。しかしながら、ノートブックコンピュータは小型で薄く軽いという利点を備えてはいるものの、相対して長時間の使用やアプリケーションの実行、周辺デバイスの駆動が多すぎるとシステムの温度が高くなりすぎるという問題が生じる。通常熱源はCPU（中央処理装置）であり、一般的なノートブックコンピュータ内部には適当な放熱装置が設置されているが、大量の熱が発生したとき、空間が不足している状態下や、ノートブックコンピュータが直接デスク上に置かれている場合、その底部が直接放熱できる面積も不足してしまうため、迅速に熱を逃がすことができず、ノートブックコンピュータ全体の機能に影響し、時にコンピュータがフリーズしてしまうことさえある。また、長時間の使用においては、放熱ファンが不定期的かつ頻繁に駆動され、騒音が発生するだけでなく、往々にして十分な放熱効果が得られない。さらに、ノートブックコンピュータのキーボードと本体は一体として作られているため、操作者がタイプを行うとき、適切な角度に調節しづらいという問題もある。
【０００３】
このため、市場には多くのノートブックコンピュータを置いて使用するための設置台が提供されており、図１に示すように、このような設置台aは後端部に支持脚部a１が設けられ、ノートブックコンピュータbを置く平面とデスク上面の間に一定の角度を保持し、その上方に置かれるノートブックコンピュータbのキーボードが傾斜した状態になり、且つ、前記設置台a正面の適切な位置には複数の放熱ファンcが設けられ、放熱効果を向上するほか、キーボードの角度を傾斜させて使用に便利なようにしているものである。しかしながら、各操作者の操作の習慣は異なるため、固定された単一の傾斜角度の設置台では各操作者の使用習慣に合わず、加えてノートブックコンピュータbそのものの発熱部材はCPUだけではなく、ハードディスクやディスクドライブも発熱するため、位置が固定された放熱ファンcではその放熱効果には限りがあり、改良が必要である。
【０００４】
このため、本考案は上述のような従来のノートブックコンピュータ用設置台における使用及び構造上の欠点に鑑みて、考案者がその関連事業における長年の経験に基づき研究を重ねて設計された斬新なノートブックコンピュータ用放熱台を提供するものであり、操作者の必要に応じて迅速に傾斜角度を調節できるだけでなく、底部の放熱ファンもノートブックコンピュータの発熱部材の位置に合わせて調整することができ、迅速に熱を逃がすという目的を達する。
【考案の開示】
【考案が解決しようとする課題】
【０００５】
本考案の主な目的は、デザイン及び構造が簡潔で、使用時の調整が便利であり、ノートブックコンピュータの設置角度を速やかに調整でき、かつ、迅速に放熱できる等の利点を備えた、ノートブックコンピュータ用放熱台を提供することにある。
【課題を解決するための手段】
【０００６】
上述の目的を達するため、本考案のノートブックコンピュータ用放熱台は、主に設置台、脚座及び複数の放熱ファンから構成され、そのうち、前記設置台は折り曲げて段差を設けた階段状を呈し、その前方にアームレストを設け、前記設置台の前縁部に内側に折り曲げた底台を設置し、前記底台上方に滑り止めゴム片を貼り付け、かつ、前記設置台の後部を湾曲して弧部を形成し、前記設置台の正面には複数の通風口を開設し、各通風口の底面に枠体を設け、前記枠体の両側に放熱ファンを設置し前後に滑動させて位置を調整することができる滑動孔を開設し、前記弧部の両側にそれぞれ調整溝を開設し、前記調整溝は滑動溝の片側に等間隔で複数の固定溝を開設してなり、前記調整溝に前記脚座を結合させて使用され、且つ、前記脚座は側面からみると略L字形を呈し、その底面に滑り止めゴム片を貼り付け、他面の適当な位置に上述の調整溝に対応する２つの固定ボルトを設ける。      
【考案の効果】
【０００７】
上述の構造により、その使用時には、本考案の放熱台は傾斜角度が調整でき、その調整時には脚座両側の固定ボルトを緩めて脚座を移動可能な状態にし、脚座と設置台を左右方向に相対的移動をさせ、固定ボルトを調整溝の固定溝の中から出して調整溝の滑動溝内で上下移動できるようにし、さらに、固定ボルトを適切な高さに移動させた後再度対応する固定溝内に穿入し固定するだけで、便利に使用及び調整を行うことができる。このほか、各ノートブックコンピュータの設計の違いによりその発熱源の位置も異なるため、本考案は放熱ファンの位置を適度に調整できる構造を提供しており、前記枠体両側の滑動孔を利用し、放熱ファンを枠体内で一定方向に滑動させて位置を調整することができ、ノートブックコンピュータ内の熱源に対し迅速な放熱を行わせ、ノートブックコンピュータの使用時における安定性を確保することができる。
【考案を実施するための最良の形態】
【０００８】
本考案の構造、装置及びその特徴について、以下、最良の実施例と図面に基づき詳細に説明する。
【０００９】
図２及び図３に示すように、本考案のノートブックコンピュータ用放熱台は主に設置台１０、脚座２０及び複数の放熱ファン３０から構成される。
【００１０】
そのうち、前記設置台１０は折り曲げて段差を形成した階段状を呈し、前方にアームレスト１１が設置され、前記アームレスト１１は金属片に滑り止め効果のある特殊な塗料層を設けたものか、或いは直接シリコンソフトパッドを使用してもよい。前記設置台１０の前縁部には内側に折り曲げた底台１２を設け、前記底台１２の上方に滑り止めゴム片１２aが貼り付けられる。前記設置台１０の後部は折り曲げて形成した弧部１３が設けられ、かつ、設置台１０の正面には複数の通風口１４が開設され、各通風口１４の底面には枠体１５が設置され、前記枠体１５の両側に放熱ファン３０を設置して前後に滑動させ位置調整を行うことを可能にする滑動孔１５aが設けられ、前記弧部１３の両側には調整溝１３aがそれぞれ設けられ、前記調整溝１３aは滑動溝１３a１の片側に等間隔で複数の固定溝１３a２が開設される。このほか、前記弧部１３の左右いずれかの側の内側に外部に延伸された文書クリップ１６を設けてもよく、この文書クリップ１６は固定式または関節式とすることができ、関節式文書クリップ１６とした場合は伸縮及び方向変換等の特性を備え、操作者が参考用の文書を挟持させる位置を調整するのに便利である。
【００１１】
前記脚座２０は側面からみると略L字形を呈し、その底面には滑り止めゴム片２１が貼り付けられ、他方の一面の適当な位置に上述の調整溝１３aに対応する２つの固定ボルト２２が設置される。
【００１２】
図４及び図５に本考案の使用状態をそれぞれ示す。傾斜角度を調整するときは、脚座２０両側の固定ボルト２２を緩めて脚座２０を移動可能な状態にし、脚座２０と設置台１０を左右方向に相対的移動をさせ、固定ボルト２２を調整溝１３aの固定溝１３a２の中から出して調整溝１３aの滑動溝１３a１内で上下移動できるようにし、さらに固定ボルト２２を適切な高さに移動させた後再度対応する固定溝内１３a２に穿入し固定するだけでよい。また、本考案の放熱ファン３０は異なる型式のノートブックコンピュータに合わせて調整を行うことができ、その調整方法は図に示すように、放熱ファン３０両側の固定ネジ３１を緩めると放熱ファン３０を枠体１５内で上下に滑動させることができるため、ノートブックコンピュータの熱を発生する位置に合わせて調整し、迅速に放熱させるという目的を達することができる。
【００１３】
上述のように、本考案のノートブックコンピュータ用放熱台は、設置台と脚座間で高さを隨意に調整することができ、ノートブックコンピュータの設置角度を調整するという目的を達し、その使用及び操作共に非常に便利であり、さらに本考案の放熱ファンの調整構造もまた異なる型式のノートブックコンピュータに合わせて隨時、速やかに位置の調整を行い、迅速な放熱効果を得ることができ、実用性と進歩性を備えた創作であるため、特許法の規定に基づき、ここに実用新案登録を出願するものである。
【図面の簡単な説明】
【００１４】
【図１】従来品の構造を示す立体斜視図である。
【図２】本考案の立体分解図である。
【図３】本考案の立体外観斜視図である。
【図４】本考案の角度調整を示す立体斜視図及び部分拡大図である。
【図５】本考案のファンの位置調整を示す底面図である。
【符号の説明】
【００１５】
１０        設置台
１１        アームレスト
１２        底台                
１２a、２１    滑り止めゴム片
１３        弧部                
１３a      調整溝
１３a１    滑動溝             
１３a２    固定溝
１４        通風口
１５        枠体                
１５a      滑動孔             
１６        文書クリップ
２０        脚座
２２        固定ボルト       
３０        放熱ファン       
３１        固定ネジ    
【図１】
0003122051.tif 000003
【図２】
0003122051.tif 000004
【図３】
0003122051.tif 000005
【図４】
0003122051.tif 000006
【図５】
0003122051.tif 000007